(57)【要約】【課題】特開平６−２１２７５８号公報に記載されている屋外階段を改良したものであって、上端部階段支持梁と下端部階段支持梁が２重にならず、しかも、階段梁が邪魔になったり、外観を壊すことない屋外階段を提供する。【解決手段】階段フレーム５と、下側階段パーツ６と、上側階段パーツ７と、踊り場床８とからなる屋外階段４である。階段フレーム５は、４本の支柱５１と、上端部階段支持梁５２と、中央部階段支持梁５３と、下側階段梁５４と、上側階段支持梁５５とからなる。また、４本の支柱５１は屋外階段を取り付ける階の基礎または床から上階の床までの長さと略等しくなっている。【選択図】  図３
2004353251.tif 000002
【特許請求の範囲】
【請求項１】
階段フレームと下側階段パーツと上側階段パーツと踊り場床とからなる屋外階段であって、前記階段フレームは矩形状の４隅に立設された第１支柱、第２支柱、第３支柱、第４支柱からなる４本の支柱と、第１支柱の上端部と第２支柱の上端部とを連結する上端部階段支持梁と、第３支柱の中央部と第４支柱の中央部とを連結する中央部階段支持梁と、第１支柱の下端部と第３支柱の中央部とを連結する下側階段梁と、第４支柱の中央部と第２支柱の上端部とを連結する上側階段梁とからなり、これ等の４本の支柱は、屋外階段を取り付ける階の基礎または床から上階の床までの長さに略等しくなされていることを特徴とする屋外階段。
【請求項２】
前記第１支柱の上端部、第２支柱の上端部、上端部階段支持梁のいずれかには、建物本体に連結するための連結材が取り付けられていることを特徴とする請求項１記載の屋外階段。
【請求項３】
前記第３支柱の中央部、第４支柱の中央部、中央部階段支持梁のいずれかには、梁材をコ字形に枠組した踊り場支持梁が、下側階段梁と反対方向に略水平に突出し、且つ、コ字形の両側の端部を第３支柱中央部、第４支柱の中央部、中央部階段支持梁のいずれかに連結した状態に、取り付けられていることを特徴とする請求項１記載の屋外階段。
【請求項４】
請求項１〜３のいずれかに記載されている屋外階段を１階に構築するときには、１階の基礎に階段フレームを据え付け、第１支柱の上端部、第２支柱の上端部、上端部階段支持梁のいずれか又は連結梁を２階の床にある階段取付部に連結し、第３支柱の中央部、第４支柱の中央部、中央部階段支持梁のいずれか又は踊り場支持梁に踊り場床を取り付け、下側階段パーツを基礎と中央部階段支持梁とに差し渡して取り付け、上側階段パーツを中央部階段支持梁と上端部階段支持梁とに差し渡して取り付け、請求項１〜３のいずれかに記載されている別の屋外階段を２階以上の階に構築するときには、既に構築されている下階の階段フレームの上に階段フレームを、下階の第１支柱と第１支柱とが、また、下階の第２支柱と第２支柱とが、また、下階の第３支柱と第３支柱とが、また、下階の第４支柱と第４支柱とがそれぞれ略一直線状になる状態に、載置し、第１支柱の上端部、第２支柱の上端部、上端部階段支持梁のいずれか又は連結梁を上階の床にある階段取付部に連結し、第３支柱の中央部、第４支柱の中央部、中央部階段支持梁のいずれか又は踊り場支持梁に踊り場床を取り付け、下側階段パーツを床、廊下、下階の上端部階段支持梁のいずれかと中央部階段支持梁とに差し渡して取り付け、上側階段パーツを中央部階段支持梁と上端部階段支持枠とに差し渡して取り付けることを特徴とする屋外階段の構築方法。
【発明の詳細な説明】
【０００１】
【発明の属する技術分野】
本発明はユニット式の屋外階段及び屋外階段の構築方法に関する。
【０００２】
【従来の技術】
ユニット式の屋外階段は、階段をいくつかのパーツに分解し、このパーツを工場等で製造し、このパーツを組み立てて階段となすもので、現場施工期間が短く、且つ、寸法精度のよい標準化された屋外階段となる特徴があるので、多く採用されている。
このユニット式の屋外階段としては、従来、種々なものが知られている。
【０００３】
一般的なユニット式の屋外階段としては、特許文献１に記載されている階段と略同じ形式の階段が多い。
このユニット式の屋外階段は、ささら桁、踏板、蹴込板等を組み立てた略一直線状の階段パーツと、水平規制片と垂直規制片とからなるＬ字形の第１受け材と、平坦でボルト挿通用の長孔を設けた第２受け部材とからなり、施工現場では、予め、建物本体の廊下等の階段取付部に階段受け桁を設け、更に、この階段受け桁の両側にそれぞれ支柱と短支柱を設けていて、支柱に第１受け材を取り付け、短支柱に第２受け部材を取り付け、この第１受け材と第２受け材に階段パネルのささら桁の上端部を取り付けるものである。
【０００４】
また、特許文献２に記載されている屋外階段も知られている。
この特許文献２に記載されている屋外階段は、矩形状の４隅に立設された第１支柱、第２支柱、第３支柱、第４支柱からなる４本の支柱と、第１支柱の下端部と第２支柱の下端部とを連結する下端部階段支持梁と、第１支柱の上端部と第２支柱の上端部とを連結する上端部階段支持梁と、第３支柱の中央部と第４支柱の中央部とを連結する中央部階段支持梁と、第１支柱の中央部と第３支柱の中央部とを連結する第１階段梁と、第２支柱の中央部と第４支柱の中央部とを連結する第２階段梁と、この第１階段梁と第２階段梁が延長され、この延長された梁の先端を連結して構成されたコ字形の踊り場支持梁とからなる階段フレームを有し、この階段フレームの下端部階段支持梁と中央部階段支持梁に下側階段パーツを取り付け、中央部階段支持梁と上端部階段支持梁に上側階段パーツを取り付け、踊り場支持梁に踊り場床を取り付けるものである。
【０００５】
【特許文献１】
実開平５−８３１４４号公報
【特許文献２】
特開平６−２１２７５８号公報
【０００６】
【発明が解決しようとする課題】
しかし、特許文献１に記載されている屋外階段では、階段パーツのささら桁を第１受け材と第２受け材に取り付けると、階段パーツと、この階段を昇降する人の荷重が、ささら桁と第１受け材との連結部、及び、ささら桁と第２受け材との連結部にかかるので、この荷重に耐えるように、この両方の連結部の連結構造を強固に連結できる構造にする必要があり、そのために、複雑な構造になり作業し難い。
【０００７】
また、重い階段パーツを支えながら取り付ける作業が困難で、そのため、現場施工工数が多くなり、高価になる。又、高所での作業が多く、危険であるという問題がある。
また、この屋外階段は、一方を建物本体に連結した短支柱に取り付け、他方を建物本体の支柱に取り付けているので、垂直方向の荷重は支柱と短支柱で負担し、地震や風圧力等の水平方向の荷重は建物本体に負担するよにうなっているが、この荷重の伝達形式が不明確であるものが多く設計し難い。
【０００８】
そこで、工場で独立可能に組み立てることができるように設計した部品を製造し、施工現場では、これを単に据え付けるだけで完成する自立した屋外階段が望まれている。
【０００９】
一方、特許文献２に記載されている屋外階段は、階段フレームの４本の支柱によって自立することができ、水平方向の荷重や垂直方向の荷重の伝達が容易に判るので設計し易い。
また、階段パーツとこの階段パーツの上を昇降する人の荷重は支柱にかかり、建物本体に接続する接続部には殆どかからない。従って、重い階段パーツを支えながら取り付ける必要がないし、この階段フレームと建物本体との接続構造も簡単で構造でよく屋外階段を構築し易い。
【００１０】
しかも、階段フレームは簡単な構造で製造し易いし、この階段フレームや下側階段パーツと上側階段パーツと踊り場床等を工場で製造し、これを施工現場で単に組み立てるだけで屋外階段とすることができ、極めて便利なものである。
また、この屋外階段を３階以上の建物では、この３階以上の階に昇るために２階以上の階に屋外階段を設ける。この際には、下階の屋外階段の上に屋外階段を、下階の第１支柱と第１支柱とが、また、下階の第２支柱と第２支柱とが、また、下階の第３支柱と第３支柱とが、また、下階の第４支柱第４支柱とがそれぞれ略一直線状になる状態に、載置するというように積み重ねればよく、極めて施工し易い。
【００１１】
しかし、この屋外階段では、積み重ねたときに下階の上端部階段支持梁と、取り付ける階の下端部階段支持梁とが重なるので、この部分が２重になり不経済である。
また、第１支柱と第３支柱とを連結する第１階段梁と、第２支柱と第４支柱とを第２階段梁とが階段の略中央を横切っていて、この第１階段梁や第２階段梁を昇降する人の目に入るので、昇降する人が外側を見るときの邪魔になるし、外側から見ても、この第１階段梁と第２階段梁が階段の外観を壊して美麗でないという問題がある。
【００１２】
そこで、この発明の目的は、階段フレーム等を工場で製造し、これを施工現場で組み立てるだけで自立した階段となすことのできる極めて便利な上記特許文献２に記載されている屋外階段を更に改良し、上端部階段支持梁と下端部階段支持梁が２重にならず、しかも、階段梁が邪魔になったり外観を壊すことのない屋外階段と、この屋外階段の構築方法を提供することである。
【００１３】
【課題を解決するための手段】
本発明は、上記課題を解決するためになされたものであって、請求項１に記載の発明は、階段フレームと下側階段パーツと上側階段パーツと踊り場床とからなる屋外階段であって、前記階段フレームは矩形状の４隅に立設された第１支柱、第２支柱、第３支柱、第４支柱からなる４本の支柱と、第１支柱の上端部と第２支柱の上端部とを連結する上端部階段支持梁と、第３支柱の中央部と第４支柱の中央部とを連結する中央部階段支持梁と、第１支柱の下端部と第３支柱の中央部とを連結する下側階段梁と、第４支柱の中央部と第２支柱の上端部とを連結する上側階段梁とからなり、これ等の４本の支柱は、屋外階段を取り付ける階の基礎または床から上階の床までの長さに略等しくなされている屋外階段を特徴とするものである。
【００１４】
この請求項１記載の発明に使用する第１支柱、第２支柱、第３支柱、第４支柱等の支柱や、上端部階段支持梁や中央部階段支持梁等の階段支持梁や上側階段梁や下側階段梁等の階段梁等の梁は、長尺体であればよく、材料、形状は適宜でよい。例えば、鉄骨等の金属製であってもよいし、木材等の木製でもよい。又、金属製の場合には、丸棒、角棒等の棒状体や、丸筒や角筒等の筒状であってもよいし、断面Ｃ字形長尺体のＣ形鋼や断面Ｈ字形長尺体のＨ形鋼等の異形材であってもよい。特に、Ｈ形鋼が単位体積当たりの機械的強度が大きく好適である。
【００１５】
また、踊り場床は板状体であればよいが、屋外階段であるので、耐水性や耐候性に優れた板状体が好ましい。しかも、この上に人が載るので、機械的強度の大きな板状体が好ましい。かかる踊り場床としては、ＡＬＣ板、鉄線入りセメント押し出し成形板等が好ましい。又、この板状体の下側や側縁部等に鉄板や枠組等を取り付けて補強してもよい。
【００１６】
また、この請求項１記載の発明の屋外階段では、上側階段パーツから上階に昇ったり、上階から上側階段パーツに降りる。従って、屋外階段の上端に位置する第１支柱の上端部、第２支柱の上端部、上端部階段支持梁のいずれかを建物本体の階段取付場所に取り付ける必要がある。この階段取付場所とは、建物本体の上階の床にある階段を取り付けることのできる梁等をいう。通常、階段を昇降する人が階段の前に立つ必要があるので、この階段の前にある人が立つことのできる広場（例えば廊下等）の床に設けられている梁等が好ましい。
【００１７】
そして、この階段取付場所に取り付け易くするために、請求項２記載のように、第１支柱の上端部、第２支柱の上端部、上端部階段支持梁のいずれかに連結梁を取り付けていると、この連結梁を建物本体の階段取付場所に取り付けるだけで階段フレームを強固に、しかも、容易に取り付けることができるので好ましい。
【００１８】
また、この請求項１記載の発明の屋外階段では、下側階段パーツから上側階段パーツに昇ったり上側階段パーツから下側パーツに降りるときには、この下側階段パーツと上側階段パーツの間で回転して反対方向に向く必要がある。即ち、この反対方向に向くための踊り場床をこの上側階段パーツと下側階段パーツの間に設ける必要がある。即ち、第３支柱の中央部、第４支柱の中央部、中央部階段支持梁のいずれかに踊り場床を取り付ける必要がある、この踊り場床を第３支柱の中央部、第４支柱の中央部、中央部階段支持梁等に直接取り付けてもよいが、第３支柱の中央部、第４支柱の中央部、中央部階段支持梁のいずれかに踊り場支持梁を取り付けていると、踊り場床を取り付け易くなるので好ましい。
【００１９】
この踊り場支持梁は適宜形状でよいが、踊り場床は通常矩形状をしているので、請求項３記載のように、梁材を踊り場床の外側縁の形状と略等しいコ字形に枠組した踊り場支持梁を第３支柱の中央部、第４支柱の中央部、中央部階段支持梁のいずれかに取り付けると、この踊り場支持梁の上に踊り場床を載置するだけで踊り場床を容易に、しかも、強固に取り付けることができ、好ましい。
【００２０】
即ち、請求項２記載の発明は、請求項１記載の発明に係り、前記第１支柱の上端部、第２支柱の上端部、上端部階段支持梁のいずれかには、建物本体に連結するための連結材が取り付けられているものである。
【００２１】
この請求項２記載の発明における連結材とは、階段フレームの上端部にある第１支柱の上端部や第２支柱の上端部や上端部階段支持梁を階段取付場所に取り付けることのできる部材をいう。
従って、階段取付場所、例えば、廊下の梁等が第１支柱の上端部や第２支柱の上端部や上端部階段支持梁の近くにある場合には、両者間の隙間に差し渡すことのできる長さのコ字形の金具やＬ字形の金具が好ましい。又、階段取付場所、例えば、廊下の梁等が第１支柱の上端部や第２支柱の上端部や上端部階段支持梁から離れた位置にある場合には、両者間を連結するすることのできる連結梁が好ましい。
【００２２】
また、一般に、屋外階段を建物本体に取り付ける際には、１箇所を連結して取り付けてもよいが、２箇所以上を連結すると強固に取り付けることができるので好ましい。
２箇所以上で連結する方法としては、２個以上の連結材を設けてこの連結材だけで連結するようにしてもよいし、１箇所以上の連結材と１箇所以上の第１支柱の上端部、第２支柱の上端部、上端部階段支持梁と直接連結するというように、連結材で連結する連結方式と直接連結する連結方式とを併用してもよい。
【００２３】
また、請求項３記載の発明は、請求項１記載の発明に係り、前記第３支柱の中央部、第４支柱の中央部、中央部階段支持梁のいずれかには、梁材をコ字形に枠組した踊り場支持梁が、下側階段梁と反対方向に略水平に突出し、且つ、コ字形の両側の端部を第３支柱中央部、第４支柱の中央部、中央部階段支持梁のいずれかに連結した状態に、取り付けられているものである。
【００２４】
請求項４記載の発明は、請求項１〜３のいずれかに記載されている屋外階段を１階に構築するときには、１階の基礎に階段フレームを据え付け、第１支柱の上端部、第２支柱の上端部、上端部階段支持梁のいずれか又は連結梁を２階の床にある階段取付部に連結し、第３支柱の中央部、第４支柱の中央部、中央部階段支持梁のいずれか又は踊り場支持梁に踊り場床を取り付け、下側階段パーツを基礎と中央部階段支持梁とに差し渡して取り付け、上側階段パーツを中央部階段支持梁と上端部階段支持梁とに差し渡して取り付け、請求項１〜３のいずれかに記載されている別の屋外階段を２階以上の階に構築するときには、既に構築されている下階の階段フレームの上に階段フレームを、下階の第１支柱と第１支柱とが、また、下階の第２支柱と第２支柱とが、また、下階の第３支柱と第３支柱とが、また、下階の第４支柱と第４支柱とがそれぞれ略一直線状になる状態に、載置し、第１支柱の上端部、第２支柱の上端部、上端部階段支持梁のいずれか又は連結梁を上階の床にある階段取付部に連結し、第３支柱の中央部、第４支柱の中央部、中央部階段支持梁のいずれか又は踊り場支持梁に踊り場床を取り付け、下側階段パーツを床、廊下、下階の上端部階段支持梁のいずれかと中央部階段支持梁とに差し渡して取り付け、上側階段パーツを中央部階段支持梁と上端部階段支持枠とに差し渡して取り付ける屋外階段の構築方法を特徴とするものである。
【００２５】
この請求項２記載の発明及び請求項４記載の発明における第１支柱の上端部、第２支柱の上端部、上端部階段支持梁のいずれかとは、第１支柱の上端部、第２支柱の上端部、上端部階段支持梁のいずれか１箇所又は複数箇所をいう。即ち、第１支柱の上端部だけでもよいし、第２支柱の上端部だけでもよいし、上端部階段支持梁だけてもよいし、第１支柱上端部と第２支柱の上端部というように２箇所であってもよいし、第１支柱の上端部、第２支柱の上端部、上端部階段支持梁というように３ヵ所であってもよい。
【００２６】
また、請求項３記載の発明および請求項４記載の発明における第３支柱の中央部、第４支柱の中央部、中央部階段支持梁のいずれかとは、第２支柱の中央部、第４支柱の中央部、中央部階段支持梁のいずれか１箇所又は複数箇所をいう。即ち、第３支柱の中央部だけでもよいし、第４支柱の中央部だけでもよいし、中央部階段支持梁だけてもよいし、第３支柱の中央部と第４支柱の中央部というように２箇所であってもよいし、第３支柱の中央、第４支柱の中央部、中央部階段支持梁というように３ヵ所であってもよい。
【００２７】
（作用）
請求項１記載の発明では、階段フレームと下側階段パーツと上側階段パーツと踊り場床とからなる屋外階段であって、前記階段フレームは矩形状の４隅に立設された第１支柱、第２支柱、第３支柱、第４支柱からなる４本の支柱と、第１支柱の上端部と第２支柱の上端部とを連結する上端部階段支持梁と、第３支柱の中央部と第４支柱の中央部とを連結する中央部階段支持梁と、第１支柱の下端部と第３支柱の中央部とを連結する下側階段梁と、第４支柱の中央部と第２支柱の上端部とを連結する上側階段梁とからなるので、４隅に立設された第１支柱、第２支柱、第３支柱、第４支柱が上端部階段支持梁、中央部階段支持梁、下側階段梁、上側階段梁によって連結されて、４本の支柱がばらばらにならないし、階段フレームと下側階段パーツと上側階段パーツと踊り場床を工場で製造し、施工現場でこれ等を請求項４記載の発明のように組み立てると、階段フレームの４本の支柱で自立する屋外階段となる。
【００２８】
即ち、１階に屋外階段を構築するときには、１階の基礎に階段フレームを据え付け、この階段フレームの第１支柱の上端部、第２支柱の上端部、上端部階段支持梁のいずれかを建物本体の２階の廊下等の床にある階段取付場所に連結し、第３支柱の中央部、第４支柱の中央部、中央部階段支持梁のいずれかに踊り場床を取り付け、下側階段パーツを基礎と中央部階段支持梁とに差し渡して取り付け、上側階段パーツを中央部階段支持梁と上端部階段支持梁とに差し渡して取り付けると、屋外階段が構築される。
【００２９】
又、請求項１〜３のいずれかに記載されている別の屋外階段を２階以上の階に構築するときには、既に構築されている下階の階段フレームの上に階段フレームを、下階の第１支柱と第１支柱とが、また、下階の第２支柱と第２支柱とが、また、下階の第３支柱と第３支柱とが、また、下階の第４支柱と第４支柱とがそれぞれ略一直線状になる状態に、載置し、第１支柱の上端部、第２支柱の上端部、上端部階段支持梁のいずれかを建物本体の上階の廊下等床にある階段取付部に連結し、第３支柱の中央部、第４支柱の中央部、中央部階段支持梁のいずれかに踊り場床を取り付け、下側階段パーツを床、廊下、下階の上端部階段支持梁のいずれかと中央部階段支持梁とに差し渡して取り付け、上側階段パーツを中央部階段支持梁と上端部階段支持枠とに差し渡して取り付けると、屋外階段が構築される。
【００３０】
このようにして構築された屋外階段は、地上または床や廊下から下側階段パーツを昇って踊り場床に達し、この踊り場床の上で回転して反対方向に向き、踊り場床から上側階段パーツを昇って上階に行くことができるし、床や廊下から上側階段パーツを降りて踊り場床に達し、この踊り場床で回転して反対方向に向き、踊り場床から下側階段パーツを降りて下階や地上に行くことができる。
【００３１】
また、屋外階段では、矩形状の四隅に立設された４本の支柱があるので、屋外階段自体が自立していて、階段及び階段を昇の人の荷重をこの４本の支柱が負担する。従って、設計し易いし、上記のように組み立てるだけで屋外階段を構築することができるので作業し易い。
また、この屋外階段では、支柱の下端部には、下端部階段支持梁がないので、屋外階段を積み重ねたときに、下階の上端部階段支持梁が下端部階段支持梁と２重にならず、材料の節約となる。
【００３２】
また、下側階段パーツを基礎または床面と、中央部階段支持梁とに差し渡して取り付けると、この下側階段パーツは、第１支柱の下端部と第３支柱の中央部とを連結する下側階段梁に沿って取り付けられる。
従って、外側から見ると、この下側階段パーツと下側階段梁とが重なっていてどちらか一方のみが見える。
【００３３】
又、上側階段パーツを中央部階段支持梁と上端部階段支持梁とに差し渡して取付けると、この上側階段パーツは、第４支柱の中央部と第２支柱の上端部とを連結する上側階段梁に沿って取り付けられる。
従って、外側から見ると、この上側階段パーツと上側階段梁とが重なっていてどちらか一方のみが見える。
このようになっているので、屋外階段を昇降する人が外側を見るときに下側階梁と上側階段梁が邪魔にならないし、階段の意匠性を損なわない。
【００３４】
更に、この請求項１記載の発明の屋外階段では、４本の支柱が屋外階段を取り付ける階の基礎または床面から上階の床面までの長さに略等しくなされているので、この屋外階段の１個を据え付けると、その階に屋外階段を構築することができるし、この上に別の屋外階段を据え付けると、この上の階に屋外階段を構築することができる。
このように、各階ごとに屋外階段を構築することができるので、建物の階数がいくらであっても適応できる。
【００３５】
請求項２記載の発明では、請求項１記載の発明に係り、前記第１支柱の上端部、第２支柱の上端部、上端部階段支持梁のいずれかには、建物本体に連結するための連結材が取り付けられているので、この連結材を建物本体の階段取付場所に取り付けると、階段フレームが建物本体の階段取付場所に強固に取り付けられる。このように、請求項２記載の発明の屋外階段は、建物本体に取り付けることが容易な屋外階段である。
【００３６】
請求項３記載の発明では、請求項１記載の発明に係り、前記第３支柱の中央部、第４支柱の中央部、中央部階段支持梁のいずれかには、梁材をコ字形に枠組した踊り場支持梁が、下側階段梁と反対方向に略水平に突出し、且つ、コ字形の両側の端部を第３支柱中央部、第４支柱の中央部、中央部階段支持梁のいずれかに連結した状態に、取り付けられているので、この踊り場支持梁の上に踊り場床を載置するだけで強固に取り付けることができ、便利である。又、この踊り場床は下側階段梁と反対方向に突出した踊り場支持梁に取り付けられているので、下側階段パーツを昇った人が、その進行方向にある踊り場床の上に立ち易いし、上側階段パーツを降りた人が、その進行方向にある踊り場床の上に立ち易い。
【００３７】
請求項４記載の発明では、請求項１〜３のいずれかに記載されている屋外階段を１階に構築するときには、１階の基礎に階段フレームを据え付け、第１支柱の上端部、第２支柱の上端部、上端部階段支持梁のいずれか又は連結梁を２階の床にある階段取付部に連結し、第３支柱の中央部、第４支柱の中央部、中央部階段支持梁のいずれか又は踊り場支持梁に踊り場床を取り付け、下側階段パーツを基礎と中央部階段支持梁とに差し渡して取り付け、上側階段パーツを中央部階段支持梁と上端部階段支持梁とに差し渡して取り付け、請求項１〜３のいずれかに記載されている別の屋外階段を２階以上の階に構築するときには、既に構築されている下階の階段フレームの上に階段フレームを、下階の第１支柱と第１支柱とが、また、下階の第２支柱と第２支柱とが、また、下階の第３支柱と第３支柱とが、また、下階の第４支柱と第４支柱とがそれぞれ略一直線状になる状態に、載置し、第１支柱の上端部、第２支柱の上端部、上端部階段支持梁のいずれか又は連結梁を上階の床にある階段取付部に連結し、第３支柱の中央部、第４支柱の中央部、中央部階段支持梁のいずれか又は踊り場支持梁に踊り場床を取り付け、下側階段パーツを床、廊下、下階の上端部階段支持梁のいずれかと中央部階段支持梁とに差し渡して取り付け、上側階段パーツを中央部階段支持梁と上端部階段支持枠とに差し渡して取り付ける屋外階段の構築方法を特徴とするので、この構築方法で構築された屋外階段は、地上または床や廊下から下側階段パーツを昇って踊り場床に達し、この踊り場床で回転して反対方向に向き、踊り場床から上側階段パーツを昇って上階に行くことができるし、床から上側階段パーツを降りて踊り場床に達し、この踊り場床で回転して反対方向に向き、踊り場床から下側階段パーツを降りて下階または地上に行くことができる。
【００３８】
そして、このように構築した屋外階段では、請求項１記載の発明の作用の項で説明したように、自立した屋外階段であり、設計し易いし、上記のように組み立てるだけで屋外階段を構築することができるので、作業し易い。
【００３９】
又、下端部階段支持梁がないので、下階の上端部階段支持梁が下端部階段支持梁と２重になることがなく、材料の節約となるし、下側階段パーツは、第１支柱の下端部と第３支柱の中央部とを連結する下側階段梁に沿って取り付けられ、上側階段パーツは、第４支柱の中央部と第２支柱の上端部とを連結する上側階段梁に沿って取り付けられ、下側階段パーツと上側階段パーツを昇降する人が外側を見るときに、この上側階段梁や下側階段梁が邪魔にならないし、階段の意匠性を損なわない。
【００４０】
また、この屋外階段では、支柱が屋外階段を取り付ける階の基礎または床面から上階の床面までの長さに略等しくなされているので、各階ごとに屋外階段を構築することができ、建物の階数がいくらであっても適応できる。
【００４１】
【発明の実施の形態】
以下、本発明の実施の形態を実施例で説明する。
図１〜図１０は本発明の一実施例を示すもので、図１は建物本体の骨格の一部を示す斜視図、図２は梁と柱とを接続している状態を示す斜視図、図３は階段フレームに上側階段パーツ、下側階段パーツ、踊り場床を取り付けている状態を示す斜視図、図４は建物本体の２階に屋外階段を取り付けた状態を示す側面図、図５は図４のＡ−Ａ線における断面図、図６は第１支柱、第３支柱、下側階段梁、踊り場支持梁の連結状態を示す側面図、図７は第２支柱、第４支柱、上側階段梁、踊り場支持梁、連結梁の連結状態を示す側面図、図８は下側階段パーツを示す側面図、図９は上側階段パーツを示す側面図、図１０（イ）は中央部階段支持梁（上端部階段支持梁）を示す正面図、（ロ）は（イ）の平面図、（ハ）は（イ）の側面図である。
【００４２】
図１〜図１０において、Ｈは３階建ての建物であり、この建物Ｈは、建物本体１に屋外階段４が取り付けられたものである。
建物本体１の骨格は、図１に示すように、基礎９の上に設けられた１階の鋼製の断面Ｈ形長尺体の梁２と、この梁２の所々に立設された１階の鋼製の柱３と、この柱３の上端面に架け渡された２階の鋼製の断面Ｈ形長尺体の梁２と、この梁２の所々に立設された２階の鋼製の柱３と、この柱３の上に架け渡された３階の鋼製の断面Ｈ形長尺体の梁２と、この梁２の所々に立設された３階の鋼製の柱３と、この柱３の上に架け渡された屋根を構成する鋼製の断面Ｈ形長尺体の梁２とからなる。
【００４３】
尚、柱３には、鋼製の断面Ｈ形長尺体の柱３−１と鋼製の４角筒体の柱３−２の２種類ある。
この梁２と柱３−１の接続構造を図２を参照しながら説明する。
梁２の上側フランジ２１や下側フランジ２１にはそれぞれ、柱３−１を取り付ける位置に、中央のウエッブ２２を挟んで２個ずつ合計４個の通孔２３が設けられている。
【００４４】
また、柱３−１の上端部および下端部のウエッブ３２には、鋼製のＬ字形短尺の補強片３５の一方の片３５１が、他方の片３５２を向かい合わせるようにして、設けられ、柱３−１のフランジ３１とウエッブ３２と一方の片３５１とで囲まれている空間の端部には、連結板３６が取り付けられている。
このようにして、柱３−１の上端部及び下端部には、ウエッブ３２の両側に２個ずつ、合計４個の補強板３５と連結板３６が設けられている。尚、この連結板３６には通孔３６１が設けられている。
【００４５】
そして、図２に示すように、梁２の上に柱３−１が立設され、梁２の通孔２３と連結板３６の通孔３６１とに通されたボルトとナットとで柱３−１の下端部が連結され、この柱３−１の上に梁２が載置し、梁２の通孔２３と連結板３６の通孔３６１とに通されたボルトとナットとで柱３−１の上端部が連結されている。建物本体１は、上記骨格に外壁面材や内壁面材や天井面材や間仕切り壁や屋根が等が取り付けられたものである。
【００４６】
４は屋外階段であり、この屋外階段４は、図３に示すように、階段フレーム５と下側階段パーツ６と上側階段パーツ７と踊り場床８とからなる。
階段フレーム５は、図３に示すように、支柱５１と上端部階段支持梁５２と中央部階段支持梁５３と下側階段梁５４と上側階段梁５５と、連結材である連結梁５６と踊り場支持梁５７とからなる。
【００４７】
支柱５１は、鋼製の断面Ｈ形長尺体であって、矩形状の４隅に立設された第１支柱５１１、第２支柱５１２、第３支柱５１３、第４支柱５１４からなる。
なお、これ等の４本の支柱５１は、屋外階段４を取り付ける階の基礎または床から上階の床までの長さに略等しくなされていて、上端と下端には板体５１８が取り付けられ、この板体５１８には通孔５１９が設けられている。
【００４８】
そして、この支柱５１と上端の板体５１８に別の支柱５１の下端の板体５１８を当接させ、両方の板体５１８に設けられている通孔５１９に通されたボルトとナットで連結すると、支柱５１と別の支柱５１とを略一直線状に連結することができるようになっている。
また、中央部階段支持梁５３は、図１０に示すように、下側階段パーツ６の幅と上側階段パーツ７の幅の合計と略等しい長さの鋼製の断面コ字形長尺体の本体５３１と、この本体５３１の両側に設けられた取付金具５３２とからなり、第３支柱５１３の中央部と第４支柱５１４の中央部とを連結するものである。
【００４９】
また、上端部階段支持梁５２は、下側階段パーツ６の幅と上側階段パーツ７の幅の合計と略等しい長さの鋼製の断面コ字形長尺体５２１と取付金具５２２とからなり、第１支柱５１１の上端部と第２支柱５１２の上端部とを連結するものである。そして、この上端部階段支持梁５２の構造は中央部階段支持梁５３と略同じであるので、図１０に中央部階段支持梁５３と合わせて記載する。
【００５０】
また、下側階段梁５４は、鋼製の断面Ｈ形長尺体であり、図６に示すように、第１支柱５１１の下端部と第３支柱５１３の中央部とを連結するものである。
また、上側階段梁５５は、鋼製の断面Ｈ形長尺体であり、図７に示すように、第４支柱５１４の中央部と第２支柱５１２の上端部とを連結するものである。
このように、４本の支柱５１に上端部階段支持梁５２、中央部階段支持梁５３、下側階段梁５４、上側階段梁５５を取り付けると、４本の支柱は、ばらばらにならず自立することのできる階段フレーム５となる。
【００５１】
連結梁５６は、鋼製の断面Ｈ形長尺体であり、第２支柱５１２の上端部に、上側階段梁５５と反対方向に略水平に突出した状態に取り付けられていて、建物本体１の梁２にある階段取付部Ｋと第２支柱５１２とを連結するものである。
【００５２】
踊り場支持梁５７は、鋼製の断面Ｈ形長尺体の梁材を、後述の踊り場床８の外周と略同じ形状のコ字形に枠組したものであって、第３支柱５１３の中央部と第４支柱４１４の中央部に取り付けられている。
この踊り場支持梁５７の取付構造は、踊り場支持梁５４を下側階段梁５４と反対方向に略水平に突出させた状態にして、コ字形の両側の端部４７１、４７２を、それぞれ第３支柱５１３と第４支柱５１４に接続している。
【００５３】
下側階段パーツ６は、図８に示すように、両側の略平行なささら桁６１と、この両側のささら桁６１に差し渡された踏板６２と蹴込板６３とからなる。
上側階段パーツ７は、図９に示すように、下側階段パーツ６と同様に、両側の略平行なささら桁７１と、この両側のささら桁７１に差し渡された踏板７２と蹴込板７３とからなる。
この上側階段パーツ７と下側階段パーツ６とを比較すると略同じ構造であるが、向きが異なることと、取り付ける場所が異なるために、ささら桁６１、７１の上下部分の構造が若干異なるだけである。
踊り場床８は厚みが略５０ｍｍの鉄線入りセメント押し出し成形板を４枚連結したものである。
【００５４】
次に、この屋外階段の構築方法及び作用について説明する。
工場で、梁２、柱３、階段フレーム５、下側階段パーツ６、上側階段パーツ７、踊り場床８等を製造する。
この梁２、柱３、階段フレーム５、下側階段パーツ６、上側階段パーツ７、踊り場床８等を施工現場に運搬する。
【００５５】
施工現場では、既に、設けられている基礎９の上に梁２を設け、この梁２の所々に柱３を立設し、この柱３の上端面に梁２を架け渡し、この梁２の所々に柱３を立設し、この柱３の上に梁２を架け渡し、この梁２の所々に柱３を立設し、この柱３の上に梁２と架け渡して３階建ての建物の骨格を組み立てる。
また、階段を取り付ける２階と３階の位置には、廊下を構成する梁２を延長させて階段取付部Ｋを設ける。
【００５６】
次に、この階段取付部Ｋに屋外階段を構築する方法について説明する。
屋外階段４を１階に構築するときには、１階の基礎に階段フレーム５を据え付け、連結梁５６を２階の建物本体１の階段取付部Ｋに連結する。又、上端部階段支持梁５２の第１支柱５１１側の先端を別の梁２に連結する。
すると、階段フレーム５が自立しているので、階段フレームを吊って作業する必要がなく、又、この連結梁５６が設けられているので、階段フレーム５を階段取付部Ｋと梁２に容易に、且つ、強固に取り付けることできる。このように、階段フレーム５を建物本体に取り付ける作業が容易である。
【００５７】
次に、踊り場支持梁４７に踊り場床８を取り付ける。
すると、踊り場支持梁４７は、梁材を踊り場床８の外周と略同じ形状のコ字形に枠組したものであるので、この踊り場支持梁４７の上に踊り場を載置するだけで強固に取り付けることができる。
また、下側階段パーツ６を基礎９、廊下、床のいずれかと中央部階段支持梁５３とに差し渡し、一方に寄せて取り付け、上側階段パーツ７を中央部階段支持梁５３と上端部階段支持梁５２とに差し渡し、下側階段パーツ６の隣に取り付けると１階の屋外階段４が構築される。
【００５８】
そして、階段取付部Ｋと梁２と上側階段支持梁５２とで囲まれた空間に、厚み１００ｍｍのＡＬＣ板の屋外廊下板５９を取り付けて、屋外階段を昇降する人の立つことのできる廊下の一部とする。
また、別の屋外階段５を２階に構築するときには、既に設けられている１階の階段フレーム５の上に階段フレーム５を、１階の第１支柱５１１と第１支柱５１１とが、また、１階の第２支柱５１２と第２支柱５１２とが、また、１階の第３支柱５１３と第３支柱５１３とが、また、１階の第４支柱５１４と第４支柱５１４とがそれぞれ略一直線状になる状態にして、載置し、連結梁５６を３階の建物本体１の階段取付部Ｋに連結したり、上端部階段支持梁５２を別の梁２に連結する。
【００５９】
すると、１階のときと同様に、階段フレーム５が自立しているし、この連結梁５６が設けられているので、階段フレーム５を階段取付部Ｋや梁２に強固に取り付けることでき、階段フレーム５を建物本体に取り付ける作業は容易である。
次に、踊り場支持梁４７に踊り場床８を取り付ける。
すると、１階のときと同様に、踊り場支持梁４７は、梁材を踊り場床８の外周と略同じ形状のコ字形に枠組したものであるので、この踊り場支持梁４７の上に踊り場を載置するだけで強固に取り付けることができる。
【００６０】
また、１階のときと同様に、下側階段パーツ６を廊下、床、下階の上端部階段支持梁５１のいずれかと中央部階段支持梁５３とに差し渡して取り付け、上側階段パーツ７を中央部階段支持梁５３と上端部階段支持梁５２とに差し渡して取り付けると屋外階段４が構築される。
そして、階段取付部Ｋと梁２と上端部階段支持梁５２とで囲まれた空間に、厚み１００ｍｍのＡＬＣ板の屋外廊下板５９を取り付けて、３階の廊下の一部とする。
次に、建物本体１の骨格に外壁パネル、内壁パネル、天井パネル、屋根パネル等を取り付けたり、その他の仕上げを行うと建物が完成する。
【００６１】
このようにして構築した屋外階段では、階段フレーム５と下側階段パーツ６と上側階段パーツ７と踊り場床８を工場で製造し、施工現場でこれ等を組み立てるだけで、自立した屋外階段４となる。
そして、このようにして構築された屋外階段４は、地上や床から下側階段パーツ６を昇って踊り場床８に達し、この踊り場床８で回転して反対方向に向き、踊り場床８から上側階段パーツ７を昇って上階に行くことができるし、床から上側階段パーツ７を降りて踊り場床８に達し、この踊り場床８で回転して反対方向に向き、踊り場床８から下側階段パーツ６を降りて下階や地上に行くことができる。
【００６２】
また、屋外階段４では、矩形状の四隅に立設された４本の支柱５１があるので自立していて、階段４及び階段を昇る人の荷重をこの４本の支柱５１が負担する。従って、設計し易いし、上記のように組み立てるだけで屋外階段が完成するので施工し易い。
また、この屋外階段４では、支柱５１の下端部には、下端部階段支持梁がないので、支柱５１の上端部に取り付けられた上端部階段支持梁５２が上階の下側階段支持梁と２重になることがなく、材料の節約となる。
【００６３】
また、下側階段パーツ６を基礎または床と、中央部階段支持梁５３とに差し渡して取り付けると、図４に示すように、外側から見ると、この下側階段パーツ６と、第１支柱５１１の下端部と第３支柱５１３の中央部とを連結する下側階段梁５４とが重なっていてどちらか一方のみが見えるし、上側階段パーツ７を中央部階段支持梁５３と上端部階段支持梁５２とに差し渡して取り付けると、外側から見ると、この上側階段パーツ７と、第４支柱５１４の中央部と第２支柱５１２の上端部とを連結する上側階段梁５５とが重なっていてどちらか一方のみが見えるので、下側階段パーツ６と上側階段パーツ７を昇降する人が外側を見るときに、上側階段梁５５や下側階段梁５４が邪魔にならないし、屋外階段４の意匠性を損なわない。
【００６４】
また、４本の支柱５１が屋外階段４を取り付ける階の基礎または床から上階の床までの長さに略等しくなされているので、各階ごとに屋外階段４を構築することができ、建物の階数がいくらであっても適応させることができる。
【００６５】
以上、この発明の実施の形態を実施例で詳細に説明したが、具体的な構成は、この実施例に限られるものではなく、この発明の要旨を逸脱しない範囲の設計の変更等があっても、この発明に含まれる。
例えば、この実施例では、梁勝ちに組み立てられた鉄骨系の建物について説明したが、その他の建物でもよい。例えば、柱勝ちの鉄骨系の建物でもよいし、木造建物でもよい。また、現地で組み立てる建物でもよいし、工場で建物ユニットに組み立てて、施工現場で建物ユニットを組み立てるユニット建物でもよいし、材料を組み立てて、施工現場で組み立てるプレハブ建物でもよい。
【００６６】
また、第３支柱の中央部と第４支柱の中央部に踊り場床支持梁を設けているが、この踊り場支持梁を中央階段支持梁に設けてもよい。又、踊り場床支持梁を設けずに、踊り場床に枠材を取り付けていて、この枠材を第３支柱の中央部、第４支柱の中央部、中央部階段支持梁のいずれかに直接取り付けてもよい。
また、連結梁を第２支柱の上端部に取り付けているが、この連結梁を第１支柱の上端部に設けてもよいし、上端部階段支持梁に設けてもよい。また、建物本体の梁を廊下の階段を取り付ける側に設けていて、第１支柱の上端部、第２支柱の上端部、上端部階段支持梁をこの梁に直接取り付けるようにしてもよい。
【００６７】
【発明の効果】
以上説明してきたように、請求項１記載の発明は、階段フレームと下側階段パーツと上側階段パーツと踊り場床とからなる屋外階段であって、前記階段フレームは矩形状の４隅に立設された第１支柱、第２支柱、第３支柱、第４支柱からなる４本の支柱と、第１支柱の上端部と第２支柱の上端部とを連結する上端部階段支持梁と、第３支柱の中央部と第４支柱の中央部とを連結する中央部階段支持梁と、第１支柱の下端部と第３支柱の中央部とを連結する下側階段梁と、第４支柱の中央部と第２支柱の上端部とを連結する上側階段梁とからなり、これ等の４本の支柱は、屋外階段を取り付ける階の基礎または床から上階の床までの長さに略等しくなされている屋外階段を特徴とするから、４本の支柱が上端部階段支持梁、中央部階段支持梁、上側階段梁、下側階段梁で連結されていてばらばらにならないし、階段フレームと下側階段パーツと上側階段パーツと踊り場床を工場で製造し、施工現場でこの屋外階段を請求項４記載の発明のように組み立てると、階段フレームの４本の支柱で自立する屋外階段となる。
【００６８】
そして、このようにして構築された屋外階段は、地上または床から下側階段パーツを昇って踊り場床に達し、この踊り場床で回転して反対方向に向き、踊り場床から上側階段パーツを昇って上階に行くことができるし、床から上側階段パーツを降りて踊り場床に達し、この踊り場床で回転して反対方向に向き、踊り場床から下側階段パーツを降りて下階に行くことができる。
【００６９】
また、屋外階段では、矩形状の四隅に立設された４本の支柱があるので、屋外階段自体が自立していて、階段及び階段を昇る人の荷重をこの４本の支柱が負担する。従って、設計し易いし、上記のように組み立てるだけで屋外階段が完成するので施工し易い。
また、この屋外階段では、支柱の下端部には、下端部階段支持梁がないので、下階の上端部階段支持梁と下端部階段支持梁とが２重になることがなく、材料の節約となる。
【００７０】
また、下側階段パーツを基礎または床と、中央部階段支持梁とに差し渡して取り付けると、外側から見ると、この下側階段パーツと下側階段梁とが重なっていてどちらか一方のみが見えるし、上側階段パーツを中央部階段支持梁と上端階段支持枠とに差し渡して取り付けると、外側から見ると、この上側階段パーツと上側階段梁とが重なっていてどちらか一方のみが見えるので、昇降する人が外側を見るときに下側階段梁と上側階段梁が邪魔にならないし、階段の意匠性を損なわない。
また、４本の支柱が屋外階段を取り付ける階の基礎または床から上階の床までの長さに略等しくなされているので、各階ごとに屋外階段を構築することができ、建物の階数がいくらであっても適応できる。
【００７１】
請求項２記載の発明は、請求項１記載の発明に係り、前記第１支柱の上端部、第２支柱の上端部、上端部階段支持梁のいずれかには、建物本体に連結するための連結材が取り付けられているので、この連結材を建物本体の階段取付場所に取り付けると、階段フレームを建物本体の階段取付場所に強固に取り付ることができる。このようになっているので、屋外階段を建物本体に取り付け易く、作業し易い。
【００７２】
請求項３記載の発明は、請求項１記載の発明に係り、前記第３支柱の中央部、第４支柱の中央部、中央部階段支持梁のいずれかには、梁材をコ字形に枠組した踊り場支持梁が、下側階段梁と反対方向に略水平に突出し、且つ、コ字形の両側の端部を第３支柱中央部、第４支柱の中央部、中央部階段支持梁のいずれかに連結した状態に、取り付けられているから、この踊り場支持梁の上に踊り場床を載置するだけで強固に取り付けることができるし、下側階段パーツを昇った人や上側階段パーツを降りた人が、踊り場床の上に立ったり、回転して反対方向に向き易く、便利である。
【００７３】
請求項４記載の発明は、請求項１〜３のいずれかに記載されている屋外階段を１階に構築するときには、１階の基礎に階段フレームを据え付け、第１支柱の上端部、第２支柱の上端部、上端部階段支持梁のいずれか又は連結梁を２階の床にある階段取付部に連結し、第３支柱の中央部、第４支柱の中凹部、中央部階段支持梁のいずれか又は踊り場支持梁に踊り場床を取り付け、下側階段パーツを基礎と中央部階段支持梁とに差し渡して取り付け、上側階段パーツを中央部階段支持梁と上端部階段支持梁とに差し渡して取り付け、請求項１〜３のいずれかに記載されている別の屋外階段を２階以上の階に構築するときには、既に構築されている下階の階段フレームの上に階段フレームを、下階の第１支柱と第１支柱とが、また、下階の第２支柱と第２支柱とが、また、下階の第３支柱と第３支柱とが、また、下階の第４支柱と第４支柱とがそれぞれ略一直線状になる状態に、載置し、第１支柱の上端部、第２支柱の上端部、上側支持梁のいずれか又は連結梁を上階の床にある階段取付部に連結し、第３支柱の中央部、第４支柱の中央部、中央部階段支持梁のいずれか又は踊り場支持梁に踊り床を取り付け、下側階段パーツを床と中央部階段支持梁とに差し渡して取り付け、上側階段パーツを中央部階段支持梁と上端部階段支持梁とに差し渡して取り付ける屋外階段の構築方法を特徴とするから、このようにして構築された屋外階段は、請求項１記載の発明の効果の項で説明したように、地上または床から下側階段パーツを昇って踊り場床に達し、この踊り場床で回転して反対方向に向き、踊り場床から上側階段パーツを昇って上階に行くことができるし、床から上側階段パーツを降りて踊り場床に達し、この踊り場床で回転して反対方向に向き、踊り場床から下側階段パーツを降りて下階または地上に行くことができるし、自立した屋外階段であり、設計し易いし、上記のように組み立てるだけで屋外階段を構築することができ、作業し易い。
【００７４】
又、下側階段支持梁がないので、下階の上端部階段支持梁が下側階段支持梁と２重になることがなく、材料の節約となるし、下側階段パーツは、第１支柱の下端部と第３支柱の中央部とを連結する下側階段梁に沿って取り付けられ、上側階段パーツは、第４支柱の中央部と第２支柱の上端部とを連結する上側階段梁に沿って取り付けられている。従って、下側階段パーツと上側階段パーツを昇降する人が外側を見るときに上側階段梁や下側階段梁が邪魔にならないし、階段の意匠性を損なわない。
【００７５】
また、この屋外階段では、４本の支柱が屋外階段を取り付ける階の基礎または床から上階の床までの長さに略等しくなされているので、各階ごとに屋外階段を構築することができ、建物の階数がいくらであっても適応することができる。
【図面の簡単な説明】
【図１】本発明の一実施例を示すもので、建物本体の骨格の一部を示す斜視図である。
【図２】梁と柱とを接続している状態を示す斜視図である。
【図３】階段フレームに上側階段パーツ、下側階段パーツ、踊り場床を取り付けている状態を示す斜視図である。
【図４】建物本体の２階に屋外階段を取り付けた状態を示す側面図である。
【図５】図４のＡ−Ａ線における断面図である。
【図６】第１支柱、第３支柱、下側階段梁、踊り場支持梁の連結状態を示す側面図である。
【図７】第２支柱、第４支柱、上側階段梁、踊り場支持梁、連結梁の連結状態を示す側面図である。
【図８】下側階段パーツを示す側面図である。
【図９】上側階段パーツを示す側面図である。
【図１０】（イ）は中央部階段支持梁（上端部階段支持梁）を示す正面図、（ロ）は（イ）の平面図、（ハ）は（イ）の側面図である。
【符号の説明】
Ｈ                建物
Ｋ                階段取付部
１                建物本体
２                梁
３                柱
４                屋外階段
５                階段フレーム
５１              支柱
５１１            第１支柱
５１２            第２支柱
５１３            第３支柱
５１４            第４支柱
５２              上端部階段支持梁
５３              中央部階段支持梁
５４              下側階段梁
５５              上側階段梁
５６              連結材（連結梁）
５７              踊り場支持梁
６                下側階段パーツ
７                上側階段パーツ
８                踊り場床
【図１】
2004353251.tif 000003
【図２】
2004353251.tif 000004
【図３】
2004353251.tif 000005
【図４】
2004353251.tif 000006
【図５】
2004353251.tif 000007
【図６】
2004353251.tif 000008
【図７】
2004353251.tif 000009
【図８】
2004353251.tif 000010
【図９】
2004353251.tif 000011
【図１０】
2004353251.tif 000012